(57)【要約】【課題】省スペース化が容易に可能な中央制御装置１を備えた照明制御システムを提供する。【解決手段】ケース体１１内に、前面部１３ａに対向して第１の回路基板１４を配設する。ケース体１１内に、第１の回路基板１４に対向して第２の回路基板３１を配設する。ケース体１１の前部側面部１３ｂに、第１の伝送信号線を接続する伝送端子４４と第２の伝送信号線５を接続するコネクタ４１を設ける。ケース体１１内の第１の回路基板１４と第２の回路基板３１の間のスペースを有効に利用し、伝送信号線を２系統としつつもケース体１１の前面部１３ａに突出する部分がなく、省スペース化が容易に可能になる。【選択図】        図１
2004242248.tif 000002
【特許請求の範囲】
【請求項１】
前面部および底面部を有するとともに、前面部および底面部の間に対向する側面部および側面部に隣り合う端面部を有する略矩形箱状のケース体と；
前面部に略平行にケース体内に収納された第１の回路基板と；
第１の回路基板に対向してケース体内に収納された第２の回路基板と；
ケース体の側面部に設けられ、第１の回路基板と第２の回路基板との間に位置し、負荷に配設され設定器により設定される設定内容に基づき負荷を制御する制御端末器および負荷にそれぞれ接続される第１の伝送信号線が接続される第１の接続部と；
ケース体の側面部に設けられ、第１の伝送信号線と異なる第２の伝送信号線が接続される第２の接続部と；
を具備していることを特徴とする中央制御装置。
【請求項２】
前面部および底面部を有するとともに、前面部および底面部の間に対向する側面部および側面部に隣り合う端面部を有する略矩形箱状のケース体と；
前面部に略平行にケース体内に収納され、電源系の第１の回路基板と；
第１の回路基板に対向してケース体内に収納された伝送系の第２の回路基板と；
ケース体の側面部に設けられ、第１の回路基板と第２の回路基板との間に位置し、負荷に配設され設定器により設定される設定内容に基づき負荷を制御する制御端末器および負荷にそれぞれ接続される第１の伝送信号線が接続される第１の接続部と；
ケース体の側面部に設けられ、第１の伝送信号線と異なる第２の伝送信号線が接続される第２の接続部と；
第１の回路基板とケース体の底面部との間に位置して設けられ、第１の回路基板の熱の少なくとも一部をケース体に伝導して外部に放出させる熱伝導体と；
を具備していることを特徴とする中央制御装置。
【請求項３】
第２の回路基板は、
制御部と；
制御部の周囲に沿って配設され、制御部に接続されたインターフェースと；
制御部およびインターフェースから離間されて配設され、第２の接続部に接続された伝送回路と；
を備えていることを特徴とする請求項１または２記載の中央制御装置。
【請求項４】
第１の回路基板は、第２の回路基板と反対側にスイッチング素子を有するスイッチング電源回路を備えている
ことを特徴とする請求項１ないし３いずれか一記載の中央制御装置。
【請求項５】
照明器具と；
照明器具に配設された制御端末器と；
第１の伝送信号線を介して照明器具および制御端末器と接続され、第２の伝送信号線を介して互いに接続された複数の請求項１ないし４いずれか一記載の中央制御装置と；
制御端末器に接続され、所定の設定内容を制御端末器および中央制御装置に対して設定する設定器と；
を具備し、
中央制御装置は、第１の伝送信号線を介して受信した制御端末器からの信号および設定器にて設定された設定内容に基づき制御端末器を介して照明器具を制御する
ことを特徴とする照明制御システム。
【発明の詳細な説明】
【０００１】
【発明の属する技術分野】
本発明は、負荷を制御する制御端末器に接続される中央制御装置およびこれを備えた照明制御システムに関する。
【０００２】
【従来の技術】
従来、例えば、複数の照明器具が設置された屋内外の様々な照明において、昼光量に応じて照明器具を自動的に点灯、消灯または調光したり、あるいは、就業開始時刻、終了時刻などのタイムスケジュールに応じて照明器具を自動的に点灯、消灯または調光させたりして、省電力を図るようにした照明制御システムがある。
【０００３】
そして、この種の照明制御システムの中央制御装置は、矩形箱状のケース体を備え、このケース体内には、ＣＰＵにて制御される電源回路部、信号送受信部および複数の通信ポートなどを備えた回路基板が配設されており、この回路基板の電源回路部、信号送受信部および複数の通信ポートのそれぞれは、ケース体の前面部に設けられた接続端子、あるいはコネクタなどを通じて他の中央処理装置、あるいは負荷に配設された制御端末器などに伝送信号線を介して接続可能となっている（例えば、特許文献１参照。）。
【０００４】
【特許文献１】
特許第３３２９８４３号公報（第３頁、図４）
【０００５】
【発明が解決しようとする課題】
しかしながら、上述の中央制御装置では、分電盤内に中央制御装置を収容した際に、この中央制御装置を保護する保護カバー、あるいは分電盤の蓋部などがケース体の前面部から突出した伝送信号線に接触しないようにするために、ケース体の前面に分電盤の蓋部などとの間でクリアランスが必要になる。
【０００６】
また、分電盤内で他の装置を中央制御装置に隣り合わせて取り付ける際に、中央制御装置の接続端子が邪魔になり、分電盤内にスペースが必要になる。
【０００７】
この結果、省スペース化が容易でないという問題点を有している。
【０００８】
さらに、省スペース化により小型化を図ると、回路基板において電源回路部から発生する熱などにより、比較的熱に弱い信号送受信部が影響を受けやすいという問題点もある。
【０００９】
本発明はこのような点に鑑みなされたもので、省スペース化が容易な中央制御装置およびこれを備えた照明制御システムを提供することを目的とする。
【００１０】
【課題を解決するための手段】
請求項１記載の中央制御装置は、前面部および底面部を有するとともに、前面部および底面部の間に対向する側面部および側面部に隣り合う端面部を有する略矩形箱状のケース体と；前面部に略平行にケース体内に収納された第１の回路基板と；第１の回路基板に対向してケース体内に収納された第２の回路基板と；ケース体の側面部に設けられ、第１の回路基板と第２の回路基板との間に位置し、負荷に配設され設定器により設定される設定内容に基づき負荷を制御する制御端末器および負荷にそれぞれ接続される第１の伝送信号線が接続される第１の接続部と；ケース体の側面部に設けられ、第１の伝送信号線と異なる第２の伝送信号線が接続される第２の接続部と；を具備しているものである。
【００１１】
そして、略矩形箱状のケース体内に、ケース体の前面部に略平行に第１の回路基板および第１の回路基板に対向して第２の回路基板を収納し、ケース体の側面部に、制御端末器および負荷にそれぞれ接続される第１の伝送信号線が接続される第１の接続部と、第１の伝送信号線とは異なる第２の伝送信号線が接続される第２の接続部とを、第１の回路基板と第２の回路基板との間に設けることにより、ケース体内の第１の回路基板と第２の回路基板との間のスペースを有効に利用することで伝送信号線を２系統としつつもケース体の前面部に突出する部分がなく、ケース体の高さ方向にクリアランスが必要なくなるので、省スペース化が容易に可能になる。
【００１２】
請求項２記載の中央制御装置は、前面部および底面部を有するとともに、前面部および底面部の間に対向する側面部および側面部に隣り合う端面部を有する略矩形箱状のケース体と；前面部に略平行にケース体内に収納され、電源系の第１の回路基板と；第１の回路基板に対向してケース体内に収納された伝送系の第２の回路基板と；ケース体の側面部に設けられ、第１の回路基板と第２の回路基板との間に位置し、負荷に配設され設定器により設定される設定内容に基づき負荷を制御する制御端末器および負荷にそれぞれ接続される第１の伝送信号線が接続される第１の接続部と；ケース体の側面部に設けられ、第１の伝送信号線と異なる第２の伝送信号線が接続される第２の接続部と；第１の回路基板とケース体の底面部との間に位置して設けられ、第１の回路基板の熱の少なくとも一部をケース体に伝導して外部に放出させる熱伝導体と；を具備しているものである。
【００１３】
そして、略矩形箱状のケース体内に、ケース体の前面部に略平行に電源系の第１の回路基板および第１の回路基板に対向して伝送系の第２の回路基板を収納し、ケース体の側面部に、制御端末器および負荷にそれぞれ接続される第１の伝送信号線が接続される第１の接続部と、第１の伝送信号線とは異なる第２の伝送信号線が接続される第２の接続部とを、第１の回路基板と第２の回路基板との間に設けることにより、ケース体内の第１の回路基板と第２の回路基板との間のスペースを有効に利用することで伝送信号線を２系統としつつもケース体の前面部に突出する部分がなく、ケース体の高さ方向にクリアランスが必要なくなるので、省スペース化が容易に可能になるとともに、電源系の第１の回路基板と伝送系の第２の回路基板とに回路を分割し、かつ第１の回路基板とケース体の底面部との間に位置して設けた熱伝導体で第１の回路基板からの熱の少なくとも一部をケース体に伝導して外部に放出させることで、省スペース化を図っても、熱などの影響を比較的受けやすい伝送系の第２の回路基板を第１の回路基板の熱から保護できる。
【００１４】
請求項３記載の中央制御装置は、請求項１または２記載の中央制御装置において、第２の回路基板は、制御部と；制御部の周囲に沿って配設され、制御部に接続されたインターフェースと；制御部およびインターフェースから離間されて配設され、第２の接続部に接続された伝送回路と；を備えているものである。
【００１５】
そして、制御部の周囲にインターフェースを配設し、第２の接続部に接続された伝送回路を制御部およびインターフェースから離間して配設することにより、インターフェースと制御部との配線パターンが簡単になるとともに、第２の回路基板上の伝送回路のスペースを容易に確保できる。
【００１６】
請求項４記載の中央制御装置は、請求項１ないし３いずれか一記載の中央制御装置において、第１の回路基板は、第２の回路基板と反対側にスイッチング素子を有するスイッチング電源回路を備えているものである。
【００１７】
そして、スイッチング電源回路のスイッチング素子を第１の回路基板の第２の回路基板と反対側に設けることで、様々な入力電圧に対応できるとともに、スイッチング素子のスイッチングにより生じるノイズを第１の回路基板で遮断してこのノイズが第２の回路基板に影響することを防止できる。
【００１８】
請求項５記載の照明制御システムは、照明器具と；照明器具に配設された制御端末器と；第１の伝送信号線を介して照明器具および制御端末器と接続され、第２の伝送信号線を介して互いに接続された複数の請求項１ないし４いずれか一記載の中央制御装置と；制御端末器に接続され、所定の設定内容を制御端末器および中央制御装置に対して設定する設定器と；を具備し、中央制御装置は、第１の伝送信号線を介して受信した制御端末器からの信号および設定器にて設定された設定内容に基づき制御端末器を介して照明器具を制御するものである。
【００１９】
そして、第１の伝送信号線を介して照明器具および制御端末器と接続され、第２の伝送信号線を介して互いに接続された請求項１ないし４いずれか一記載の中央制御装置を備えることにより、全体として省スペース化が可能になる。
【００２０】
【発明の実施の形態】
以下、本発明の一実施の形態を図面を参照して説明する。
【００２１】
図１ないし図７に第１の実施の形態を示し、図１は中央制御装置を示す正面断面図、図２は中央制御装置を示す平面図、図３は第２の回路基板を示す平面図、図４は中央制御装置の分解状態を示す斜視図、図５は照明制御システムの構成図、図６は設定器の割り付け設定画面を示す説明図、図７はグループ制御時の伝送フローである。
【００２２】
図５において、１は照明制御システムの複数の中央制御装置で、これら中央制御装置１には、第１の伝送信号線２を介して、複数の制御端末器３およびこれら制御端末器３にそれぞれ対応した複数の壁スイッチ４が接続されている。また、各中央制御装置１は、第１の伝送信号線２とは異なる例えばイーサネット（登録商標）（Ｅｔｈｅｒｎｅｔ（登録商標））などのＬＡＮ（Ｌｏｃａｌ  Ａｒｅａ  Ｎｅｔｗｏｒｋ）ケーブルなどの第２の伝送信号線５を介して互いに接続され、これら中央制御装置１は、照明制御システム全体を統括管理するＰＣなどの上位装置６に接続されている。
【００２３】
各中央制御装置１は、複数の制御端末器３および複数の壁スイッチ４に第１の伝送信号線２を通じて信号を送受信することでこれら制御端末器３および壁スイッチ４をそれぞれ集中制御するものである。
【００２４】
各制御端末器３は、屋内外の様々な照明空間に設置される負荷としての照明器具７に配設されてこの照明器具７を制御するもので、それぞれアドレスを有しており、中央制御装置１から第１の伝送信号線２にアドレスと制御データとが伝送された場合に、各制御端末器３が対応するアドレスの制御データを受信して照明器具７の点灯、消灯あるいは調光を制御する。
【００２５】
また、各制御端末器３には、壁スイッチ４などの設定内容を設定する設定器８が接続可能になっている。この設定器８は、制御端末器３のアドレスにより照明器具７を、第１の伝送信号線２を介して接続された中央制御装置１のグループに割り付け設定したり、照明器具７の点灯パターンを設定したりする。ここで、中央制御装置１に設定されるグループ、あるいは点灯パターンには、他の中央制御装置１に接続されている制御端末器３も設定器８にて割り付け設定可能となっている。
【００２６】
各壁スイッチ４は、照明器具７が設置される照明空間の壁面に対応して配設されるもので、それぞれアドレスを有している。この壁スイッチ４の操作により、壁スイッチ４からアドレスおよび操作信号を、第１の伝送信号線２を通じて中央制御装置１に送信し、中央制御装置１に伝送されたアドレスの壁スイッチ４に対応する制御端末器３を制御する。
【００２７】
また、各壁スイッチ４は、図示しないが、壁スイッチ４により操作可能な照明器具７のグループあるいは点灯パターンにそれぞれ対応したグループスイッチあるいはパターンスイッチを備え、これらグループスイッチあるいはパターンスイッチには、対応する照明器具７の点灯および消灯状態、あるいは中央制御装置１による照明器具７の制御の成立、不成立を表示するＬＥＤがそれぞれ設けられている。
【００２８】
上位装置６には、中央制御装置１からの結果が必要に応じて第２の伝送信号線５を介して通知される。
【００２９】
そして、図１に示すように、各中央制御装置１は、例えば分電盤の協約寸法により予め設定された所定の形状に形成された筐体である略矩形箱状の中空なケース体１１を備えている。このケース体１１は、後部ケース１２の開口を前部ケース１３で閉塞して形成されている。このケース体１１は、図示しないが、金具などの被取付部材を介して分電盤内に固定される。
【００３０】
後部ケース１２は、ケース体１１の底面部となる略矩形状の底面部１２ａを備え、この底面部１２ａの両側部および両端部には、ケース体１１の側面部である後部側面部１２ｂ，１２ｂおよびケース体１１の端面部であり後部側面部１２ｂ，１２ｂに隣り合う後部端面部１２ｃ，１２ｃが対向して底面部１２ａに対して略垂直な方向に一体に形成されている。
【００３１】
前部ケース１３は、ケース体１１の前面部となる略矩形状の前面部１３ａを備え、この前面部１３ａの両側部および両端部には、ケース体１１の側面部である前部側面部１３ｂ，１３ｂおよびケース体１１の端面部であり前部側面部１３ｂ，１３ｂに隣り合う前部端面部１３ｃ，１３ｃが対向して前面部１３ａに対して略垂直な方向に一体に形成されている。
【００３２】
そして、ケース体１１は、底面部１２ａと前面部１３ａとが互いに略平行となっており、後部側面部１２ｂ，１２ｂ、後部端面部１２ｃ，１２ｃ、前部側面部１３ｂ，１３ｂおよび前部端面部１３ｃ，１３ｃが底面部１２ａと前面部１３ａとの間に形成されている。
【００３３】
後部ケース１２内には、主に電源系の回路を備えた第１の回路基板１４が配設されている。この第１の回路基板１４は、略矩形状に形成されており、後部側面部１２ｂ，１２ｂに交差、例えば直交する方向に沿って底面部１２ａに略平行に配設されている。したがって、この第１の回路基板１４は、後部ケース１２と前部ケース１３とを互いに取り付けた際に前面部１３ａに略平行になる。この第１の回路基板１４の裏面、すなわち後部ケース１２の底面部１２ａ側には、放熱フィンである矩形状のアルミ板１５が取り付けられている。言い換えると、アルミ板１５は、第１の回路基板１４と後部ケース１２の底面部１２ａとの間に位置して設けられている。
【００３４】
このアルミ板１５は、図４に示すように、第１の回路基板１４の所定の位置に貫通して設けられた複数の取付孔２１に挿通されたねじ２２にて第１の回路基板１４の裏面側に固定されている。これらねじ２２はスペーサ２３を介してアルミ板１５にねじ止めされている。
【００３５】
また、ねじ２２の１つにより、スイッチング素子２４がアルミ板１５にねじ止めされている。このスイッチング素子２４は、第１の回路基板１４にスイッチング電源回路２５を形成している。このスイッチング電源回路２５により、中央制御装置１は、例えば１００Ｖ〜２４２Ｖまでの所定の各入力電圧を自動的に選択して対応可能な状態、いわゆる電圧フリーとなっている。
【００３６】
このアルミ板１５の裏面である第１の回路基板１４と反対側の側面と後部ケース１２の底面部１２ａとの間には、例えば弾力性を有するシリコンゴムなどの放熱シート２６が設けられている。この放熱シート２６は、第１の回路基板１４を後部ケース１２内に取り付けた状態で底面部１２ａに接触する。また、この放熱シート２６は、アルミ板１５と後部ケース１２との寸法誤差以上の厚みを有しており、この厚みでアルミ板１５とケース体１１の後部ケース１２との密着性を確保している。そして、アルミ板１５および放熱シート２６により、熱伝導体２７が形成されている。この熱伝導体２７により、第１の回路基板１４の電源系の回路から発生する熱の少なくとも一部をケース体１１の底面部１２ａに伝導して外部に放出させる。
【００３７】
一方、前部ケース１３内には、伝送系の回路を備えた第２の回路基板３１が配設されている。この第２の回路基板３１は、略矩形状に形成されており、前部側面部１３ｂ，１３ｂに交差、例えば直交する方向に沿って前面部１３ａに略平行に配設されている。したがって、この第２の回路基板３１は、後部ケース１２と前部ケース１３とを互いに取り付けた際に第１の回路基板１４に対向する。この第２の回路基板３１は、前部ケース１３の前面部１３ａと反対側の側面に、図示しない端子部が設けられ、この端子部を介して第１の回路基板１４と電気的に接続されている。
【００３８】
第２の回路基板３１の前面部１３ａ側の側面には、図３に示すように、制御部としての矩形状のマイクロプロセッサ３２が配設されている。このマイクロプロセッサ３２は、第２の回路基板３１の長手方向の一端寄り、かつ第２の回路基板３１の幅方向の中心よりも若干一側寄りに配設されている。また、マイクロプロセッサ３２は、第２の回路基板３１の長手方向および幅方向に沿って両側部および両端部が配設されている。
【００３９】
さらに、第２の回路基板３１には、マイクロプロセッサ３２の周囲に沿って、一対のディップスイッチ３３およびＬＥＤ（Ｌｉｇｈｔ  Ｅｍｉｔｔｉｎｇ  Ｄｉｏｄｅ）などの複数の表示素子３４などを有するインターフェース３５が配設されている。ディップスイッチ３３および表示素子３４は、図示しないが、第２の回路基板３１上に形成されたパターンによりマイクロプロセッサ３２の所定の端子とそれぞれ接続されている。
【００４０】
ディップスイッチ３３は、第２の回路基板３１の幅方向に沿って長手状にそれぞれ設けられ、第２の回路基板３１の幅方向に若干離間されている。また、ディップスイッチ３３は、例えば第２の回路基板３１のマイクロプロセッサ３２に近い方の端部側、すなわち図３に示すマイクロプロセッサ３２の上方に、マイクロプロセッサ３２の端部に対して略平行に配設されている。これらディップスイッチ３３は、照明制御システムでの各中央制御装置１の番号および親機と子機との関係などを設定するものである。
【００４１】
また、表示素子３４は、第２の回路基板３１のマイクロプロセッサ３２から遠い方の側部側、すなわち図３に示すマイクロプロセッサ３２の右方に、マイクロプロセッサ３２の側部に対して略平行に配設されている。これら表示素子３４は、第２の回路基板３１の長手方向に互いに若干離間されている。
【００４２】
第２の回路基板３１のマイクロプロセッサ３２およびインターフェース３５から離間された位置には、伝送回路３６が設けられている。この伝送回路３６は、第２の回路基板３１の長手方向のディップスイッチ３３と反対側の端部の近傍、かつ第２の回路基板３１の幅方向の表示素子３４と反対側の側部の近傍、すなわち図３に示す第２の回路基板３１の左下部に設けられている。ここで、伝送回路３６などの伝送系の回路は、ノイズなどを考慮して設計上電源部から離間してまとめて配設するのが好ましい。
【００４３】
さらに、各中央制御装置１の伝送回路３６から第２の伝送信号線５を介して送出される伝送信号は、送出先の中央制御装置１の番号、送出先の中央制御装置１の第１の伝送信号線２に接続される制御対象の制御端末器３のアドレス、制御データ、および、第１の伝送信号線２から受信した制御端末器３の監視信号などを備えている。ここで、第１の伝送信号線２から受信した制御端末器３の監視信号は、伝送信号として第２の伝送信号線５から送出するか否かを選択可能になっている。
【００４４】
ケース体１１内の伝送回路３６の前面部１３ａと反対側には、第２の接続部としてのコネクタ４１が伝送回路３６に接続されて取り付けられている。すなわち、コネクタ４１は、後部ケース１２と前部ケース１３とを互いに取り付けた際に第１の回路基板１４と第２の回路基板３１との間に位置する。このコネクタ４１は、図２に示すように、前部ケース１３の前部側面部１３ｂに、前部ケース１３の側方に向けて開口した開口部４２に臨んで取り付けられている。このコネクタ４１には、第２の伝送信号線５が着脱可能に接続される。
【００４５】
前部ケース１３のコネクタ４１側の前部側面部１３ｂには、一対の電源端子４３が設けられている。これら電源端子４３は、ケース体１１内で第１の回路基板１４に接続され、ケース体１１外で図示しない外部電源に接続される。
【００４６】
前部ケース１３の電源端子４３と反対側、すなわちコネクタ４１と反対側の前部側面部１３ｂには、第１の接続部としての複数、例えば一対の伝送端子４４が設けられている。すなわち、伝送端子４４は、後部ケース１２と前部ケース１３とを互いに取り付けた際に第１の回路基板１４と第２の回路基板３１との間に位置する。これら伝送端子４４は、ケース体１１内で第１の回路基板１４の図示しない伝送回路に接続されている。
【００４７】
さらに、前部ケース１３の前面部１３ａには、第２の回路基板３１のディップスイッチ３３が外部に露出するスイッチ窓部４５、および、第２の回路基板３１の表示素子３４からの発光がケース体１１の外部に露出するランプ窓部４６がそれぞれ設けられている。
【００４８】
次に、第１の実施の形態の作用を説明する。
【００４９】
壁などに設けられた分電盤内に中央制御装置１を被取付部材で固定する。このとき、中央制御装置１は、後部ケース１２側を分電盤に取り付け、例えばディップスイッチ３３が上側に、コネクタ４１が下側に、それぞれ位置するように上下方向に沿って配設する。
【００５０】
電源端子４３に外部電源を接続し、制御端末器３に接続された第１の伝送信号線２を、ケース体１１の側方から伝送端子４４に接続するとともに、上位装置６、あるいは他の中央制御装置１と接続された第２の伝送信号線５をケース体１１の側方からコネクタ４１に接続する。
【００５１】
各設定器８を壁スイッチ４に接続し、各設定器８を操作して各中央制御装置１にシステムデータ設定を、各制御端末器３にアドレスなどの設定を、それぞれ第１の伝送信号線２を介して送信して設定する。
【００５２】
図６に、制御端末器３の割り付けの際の設定器８の画面例を示す。この図６では、番号１を有する中央制御装置１（以下、第１の中央制御装置という）に接続されたアドレス２を有する制御端末器３（以下、１−２制御端末器という）と、番号２を有する中央制御装置１（以下、第２の中央制御装置という）に接続されたアドレス３を有する制御端末器３（以下、２−３制御端末器という）とを、第１の中央制御装置のグループ２に対して割り付け設定している。
【００５３】
この送信された各種データは、各中央制御装置１および各制御端末器３にて記憶される。
【００５４】
そして、中央制御装置１は、第１の伝送信号線２を介して照明器具７の状態を監視し、この照明器具７からの状態応答、あるいは設定器８で設定された設定内容などに基づき、照明器具７を自動的に点灯、消灯あるいは調光させるように集中制御し、さらに壁スイッチ４の操作により、対応する照明器具７を点灯、消灯あるいは調光させる。
【００５５】
各照明器具７の制御端末器３では、中央制御装置１から伝送されたアドレスと制御データとが伝送された場合に、制御端末器３が対応するアドレスの制御データを受信して照明器具７の点灯、消灯あるいは調光を制御する。
【００５６】
具体的には、図７に示すように、図６のように割り付け設定した状態で、例えば第１の中央制御装置に接続されたアドレス２を有する壁スイッチ４のグループスイッチ（以下、１−２グループスイッチという）を操作すると、第１の中央制御装置が１−２グループスイッチのＬＥＤを制御成立の点灯状態にした後、１−２制御端末器を制御してこの１−２制御端末器に接続された照明器具７の点灯状態を制御する。
【００５７】
また、第１の中央制御装置は、第２の中央制御装置に対して、２−３制御端末器の制御データを送信し、この制御データを受信した第２の中央制御装置は、２−３制御端末器を制御してこの２−３制御端末器に接続された照明器具７の点灯状態を制御する。
【００５８】
さらに、第１の中央制御装置および第２の中央制御装置は、それぞれ１−２制御端末器および２−３制御端末器の状態を監視する。このとき、第１の中央制御装置と第２の中央制御装置との間で信号を送受信することで、第１の中央制御装置にて２−３制御端末器の状態を検知する。
【００５９】
そして、１−２制御端末器および２−３制御端末器からの状態応答に応じて、第１の中央制御装置は１−２グループスイッチのＬＥＤの再表示を制御する。
【００６０】
また、照明器具７の点灯パターンを制御する場合にも、グループ制御の場合と同様に制御する。
【００６１】
ここで、例えば第１の中央制御装置および第２の中央制御装置に亘った点灯パターンなどを制御する際に、第２の中央制御装置に異常が発生した場合などには、第２の中央制御装置の第１の伝送信号線２から受信した制御端末器３の監視信号を第２の伝送信号線５から送出しなくして、第１の中央制御装置に接続された制御端末器３のみを点灯パターンの制御対象とすることで、パターンスイッチなどのＬＥＤ表示が制御不成立の点灯状態になることを防止する。
【００６２】
以上のように、ケース体１１内に、第１の回路基板１４を前面部１３ａに略平行に配設し、第２の回路基板３１を第１の回路基板１４に対向して配設するとともに、ケース体１１の前部側面部１３ｂ，１３ｂに、第１の伝送信号線２が接続される伝送端子４４と第２の伝送信号線５が接続されるコネクタ４１とを、第１の回路基板１４および第２の回路基板３１の間に位置して設けることにより、ケース体１１内の第１の回路基板１４と第２の回路基板３１との間のスペースを有効に利用することで、伝送端子４４に接続される第１の回路基板１４とコネクタ４１に接続される第２の回路基板３１とをケース体１１内に配設して伝送信号線を２系統としつつも、ケース体１１の前面部１３ａに突出する部分がない。
【００６３】
このため、分電盤内で中央制御装置１を保護する保護カバー、あるいは中央制御装置１のケース体１１の前面部１３ａに対向する分電盤の蓋部などが第１の伝送信号線２および第２の伝送信号線５に接触しないようにするためのケース体１１の前面と分電盤の蓋部などとの間にクリアランスが必要ないので、照明制御システム全体として省スペース化できる。
【００６４】
さらに、分電盤内では、一般に中央制御装置１の後部端面部１２ｃ，１２ｃおよび前部端面部１３ｃ，１３ｃ側に他の装置が配設されることが多いが、ケース体１１の後部端面部１２ｃ，１２ｃおよび前部端面部１３ｃ，１３ｃを避けた前部側面部１３ｂ，１３ｂに伝送端子４４およびコネクタ４１をそれぞれ設けたことで、第１の伝送信号線２および第２の伝送信号線５が他の装置を配設する際に邪魔にならず、分電盤内をさらに省スペース化できる。
【００６５】
そして、主に電源系の第１の回路基板１４と伝送系の第２の回路基板３１とに回路を分割したことにより、複数の中央制御装置１を第２の伝送信号線５で互いに接続できるとともに、１つの中央制御装置１に接続された制御端末器３を他の中央制御装置１のグループに対して割り付け設定できるので、複数の中央制御装置１に亘った制御端末器３の制御が可能になる。
【００６６】
このため、複数の中央制御装置１で照明制御システム全体を制御できるので、１つの中央制御装置１に配線が集中することがなく、中央制御装置１の大型化を防止でき、かつ中央制御装置１の分散設置が可能になり設置自由度を向上できる。
【００６７】
また、第１の回路基板１４を前面部１３ａに平行に配設し、第２の回路基板３１を第１の回路基板１４に対向させて配設したことにより、これら第１の回路基板１４と第２の回路基板３１との面積をケース体１１内で最大に取ることができる。
【００６８】
さらに、第２の回路基板３１では、マイクロプロセッサ３２の周囲にインターフェース３５を配設し、伝送回路３６をマイクロプロセッサ３２およびインターフェース３５から離間して配設することにより、インターフェース３５とマイクロプロセッサ３２との間の配線の引き回しおよび伝送回路３６の配線の引き回しを防止して、配線パターンを簡単にできるとともに、伝送回路３６のスペースを容易に確保できる。
【００６９】
そして、ディップスイッチ３３を第２の回路基板３１の長手方向の一端部の近傍に設け、コネクタ４１に接続される伝送回路３６を第２の回路基板３１の長手方向の他端部の近傍に設けることにより、例えば作業者の視線の高さよりも低い位置に中央制御装置１を分電盤内で配設した場合に、ディップスイッチ３３が上側に位置するように配設することで、ディップスイッチ３３を作業者が容易に操作でき、また、コネクタ４１は第２の伝送信号線５を接続するだけなので、下側に位置していても作業性に影響を与えることがない。
【００７０】
特に、インターフェース３５のディップスイッチ３３に作業者が触れて操作する際には、ディップスイッチ３３に静電気が加わることがあるため、伝送回路３６をインターフェース３５から離間することで、この静電気による伝送回路３６への影響をも防止できる。
【００７１】
また、伝送回路３６およびコネクタ４１をケース体１１の端部の近傍に設けることにより、ケース体１１内に他の回路などを設置するスペースを充分に取ることができるので、ケース体１１のみを他の装置と共用して使用することも可能になる。
【００７２】
さらに、主に電源系の第１の回路基板１４と伝送系の第２の回路基板３１とに回路を分割し、第１の回路基板１４の熱を熱伝導体２７でケース体１１およびケース体１１を分電盤に固定する被取付部材などに伝導して外部に放出することにより、第１の回路基板１４の電源系の回路から発生する熱を第２の回路基板３１に伝達しにくくし、全体として省スペース化を図っても、特に熱などに比較的弱い第２の回路基板３１の伝送回路３６などを第１の回路基板１４から発生する熱の影響から確実に保護できる。
【００７３】
そして、スイッチング電源回路２５のスイッチング素子２４を第１の回路基板１４の第２の回路基板３１と反対側に設けることで、電圧フリー化して様々な入力電圧を自動的に選択して対応できるとともに、スイッチング素子２４のスイッチングにより生じるノイズを第１の回路基板１４で遮断して、特にノイズの影響を受けやすい第２の回路基板３１の伝送回路３６にスイッチング素子２４によるノイズが影響することを防止できる。
【００７４】
また、電圧フリー化により、異なる電圧に対応した異なる機種を製造する必要がなく、また、中央制御装置１を配設する現場においても、電圧が異なる複数の機種を用意する必要がなく、異なる電圧の機種を誤装着して中央制御装置１を損傷するおそれがないなど、中央制御装置１の使い勝手をより向上できる。
【００７５】
さらに、スイッチング素子２４は、アルミ板１５にねじ止めするので、このアルミ板１５および放熱シート２６で確実に放熱でき温度上昇を抑制できる。
【００７６】
なお、図８の第２の実施の形態に示すように、１つの中央制御装置１で照明制御システム全体を統括管理するようにしてもよく、この場合には、上位装置６が必要ないので構成をより簡略化できる。
【００７７】
さらに、各実施の形態において、伝送回路３６およびコネクタ４１を設ける位置は、例えば伝送端子４４と同側の側面部の伝送端子４４と反対側の端部などでもよく、この場合には、伝送回路３６をマイクロプロセッサ３２およびインターフェース３５から、さらに離間できるだけでなく、ケース体１１内に比較的大きなスペースを取ることができるので、より好ましい。
【００７８】
そして、コネクタ４１および伝送端子４４は、ケース体１１の側面部で他の装置などと接触しない位置であれば、配線などがより容易な他の位置などに設計変更することも可能である。
【００７９】
また、設定器８による設定内容および中央制御装置１による制御は、他の様々な形態が可能である。
【００８０】
【発明の効果】
請求項１記載の中央制御装置によれば、略矩形箱状のケース体内に、ケース体の前面部に略平行に第１の回路基板および第１の回路基板に対向して第２の回路基板を収納し、ケース体の側面部に、制御端末器および負荷にそれぞれ接続される第１の伝送信号線が接続される第１の接続部と、第１の伝送信号線とは異なる第２の伝送信号線が接続される第２の接続部とを、第１の回路基板と第２の回路基板との間に設けることにより、ケース体内の第１の回路基板と第２の回路基板との間のスペースを有効に利用することで伝送信号線を２系統としつつもケース体の前面部に突出する部分がなく、ケース体の高さ方向にクリアランスが必要なくなるので、容易に省スペース化できる。
【００８１】
請求項２記載の中央制御装置によれば、略矩形箱状のケース体内に、ケース体の前面部に略平行に電源系の第１の回路基板および第１の回路基板に対向して伝送系の第２の回路基板を収納し、ケース体の側面部に、制御端末器および負荷にそれぞれ接続される第１の伝送信号線が接続される第１の接続部と、第１の伝送信号線とは異なる第２の伝送信号線が接続される第２の接続部とを、第１の回路基板と第２の回路基板との間に設けることにより、ケース体内の第１の回路基板と第２の回路基板との間のスペースを有効に利用することで伝送信号線を２系統としつつもケース体の前面部に突出する部分がなく、ケース体の高さ方向にクリアランスが必要なくなるので、省スペース化が容易に可能になるとともに、電源系の第１の回路基板と伝送系の第２の回路基板とに回路を分割し、かつ第１の回路基板とケース体の底面部との間に位置して設けた熱伝導体で第１の回路基板からの熱の少なくとも一部をケース体に伝導して外部に放出させることで、省スペース化を図っても、熱などの影響を比較的受けやすい伝送系の第２の回路基板を第１の回路基板の熱から保護できる。
【００８２】
請求項３記載の中央制御装置によれば、請求項１または２記載の中央制御装置の効果に加えて、制御部の周囲にインターフェースを配設し、第２の接続部に接続された伝送回路を制御部およびインターフェースから離間して配設することにより、インターフェースと制御部との配線パターンが簡単になるとともに、第２の回路基板上の伝送回路のスペースを容易に確保できる。
【００８３】
請求項４記載の中央制御装置によれば、請求項１ないし３いずれか一記載の中央制御装置の効果に加えて、スイッチング電源回路のスイッチング素子を第１の回路基板の第２の回路基板と反対側に設けることで、様々な入力電圧に対応できるとともに、スイッチング素子のスイッチングにより生じるノイズを第１の回路基板で遮断してこのノイズが第２の回路基板に影響することを防止できる。
【００８４】
請求項５記載の照明制御システムによれば、第１の伝送信号線を介して照明器具および制御端末器と接続され、第２の伝送信号線を介して互いに接続された請求項１ないし４いずれか一記載の中央制御装置を備えることにより、全体として省スペース化できる。
【図面の簡単な説明】
【図１】本発明の第１の実施の形態を示す中央制御装置の正面断面図である。
【図２】同上中央制御装置を示す平面図である。
【図３】同上中央制御装置の第２の回路基板を示す平面図である。
【図４】同上中央制御装置の分解状態を示す斜視図である。
【図５】同上照明制御システムの構成図である。
【図６】同上照明制御システムの設定器の割り付け設定画面を示す説明図である。
【図７】同上照明制御システムのグループ制御時の伝送フローである。
【図８】本発明の第２の実施の形態を示す照明制御システムの構成図である。
【符号の説明】
１    中央制御装置
２    第１の伝送信号線
３    制御端末器
５    第２の伝送信号線
７    負荷としての照明器具
８    設定器
１１    ケース体
１２ａ    底面部
１３ａ    前面部
１３ｂ    側面部としての前部側面部
１４    第１の回路基板
２４    スイッチング素子
２５    スイッチング電源回路
２７    熱伝導体
３１    第２の回路基板
３２    制御部としてのマイクロプロセッサ
３５    インターフェース
３６    伝送回路
４１    第２の接続部としてのコネクタ
４４    第１の接続部としての伝送端子
【図１】
2004242248.tif 000003
【図２】
2004242248.tif 000004
【図３】
2004242248.tif 000005
【図４】
2004242248.tif 000006
【図５】
2004242248.tif 000007
【図６】
2004242248.tif 000008
【図７】
2004242248.tif 000009
【図８】
2004242248.tif 000010